(57)【要約】【課題】  生地との付着力が強い毛玉を除去することができると共に、デリケートな生地や、毛足の長い生地に付着した毛玉を除去することができ、さらに意匠性にも優れた毛玉取り器を提供する。【解決手段】  毛玉取り器１０は、毛玉取り部１と取っ手部２とから構成される毛玉取り器本体３と、外ケース４とから構成されており、外ケース４は、外刃５を露出する開口を有すると共に、この開口の周囲に複数の突起８を備えている。また、外ケース４は、毛玉取り器本体３に対して着脱自在となっており、外ケース４を毛玉取り器本体３に装着した状態と、取り外した状態の両方で毛玉取り器１０を使用することができる。【選択図】図３
0003175572.tif 000002
【実用新案登録請求の範囲】
【請求項１】
モーターと、該モーターを駆動する電源と、前記モーターによって回転する内刃及びファンと、前記内刃を覆うと共に毛玉を吸引する複数の刃孔を備えた外刃とを有する毛玉取り部と、該毛玉取り部の後方に接続する中空状の取っ手部とを有する毛玉取り器本体と、前記外刃を露出する開口を備えた着脱自在の外ケースとを有する毛玉取り器であって、前記外ケースの開口の周囲に複数の突起を設けたことを特徴とする毛玉取り器。
【請求項２】
複数の突起は、毛玉取り器を平面に載置したときに該平面と接触する脚部となることを特徴とする請求項１に記載の毛玉取り器。
【請求項３】
着脱自在の外ケースを装着した状態と、取り外した状態の両方で使用可能なことを特徴とする請求項１又は２に記載の毛玉取り器。
【請求項４】
外ケースを装着した状態の使用時に、複数の突起が接触する平面と外刃の表面との間隔が２ｍｍ以上３ｍｍ以下であることを特徴とする請求項１〜３のいずれか１項に記載の毛玉取り器。
【請求項５】
毛玉取り部の外形形状を略半球状に形成し、取っ手部の外形形状を略円錐状に形成したことを特徴とする請求項１〜４のいずれか１項に記載の毛玉取り器。
【請求項６】
取っ手部の略円錐状の曲面に複数の排気孔を形成し、該排気孔から、ファンによって毛玉取り部及び取っ手部の内部に吸い込まれた空気を排気することを特徴とする請求項５に記載の毛玉取り器。
【考案の詳細な説明】
【技術分野】
【０００１】
本考案は、生地との付着力が強い毛玉を除去することができると共に、デリケートな生地や、毛足の長い生地に付着した毛玉を、生地を傷めることなく除去することができ、さらに意匠性にも優れた毛玉取り器に関するものである。
【背景技術】
【０００２】
従来から、片手で把持して毛玉除去作業をすることができるコンパクトな毛玉取り器が提案されている（特許文献１参照）。この毛玉取り器は、毛玉取り器本体が、ヘッド部とグリップ部とからなり、ヘッド部には、回転軸を有するモーターが備えられている。このモーターの回転軸には内刃と、ファンとが取り付けられており、前記内刃を覆うよう外刃が取り付けられている。また、前記外刃には、複数の刃孔が形成されている。また、グリップ部には、前記モーターの駆動源となる乾電池と、ダストケースとが設置されている。そして、前記外刃及び内刃によって切断された毛玉が、前記ファンによって下方に運ばれ、前記ダストケースに収容される仕組みとなっている。また、前記ファンによって発生した風は、排気孔を経て毛玉取り器本体から外部へ放出される。
【先行技術文献】
【特許文献】
【０００３】
【特許文献１】特開平２−１３９４７３号公報
【考案の概要】
【考案が解決しようとする課題】
【０００４】
上述のように、特許文献１に記載の毛玉取り器は、外刃に形成された複数の刃孔を、生地の表面から突出する毛玉へ押し付けることによって、毛玉が刃孔の内部に入り、回転する内刃によって、毛玉と生地との間を切断するものである。しかしながら、生地が毛足の長い生地の場合には、生地の一部も刃孔の内部に入って内刃によって傷められる可能性あり、デリケートな生地や毛足の長い生地に付着した毛玉を除去する毛玉取り器を開発する必要があった。
【０００５】
また、上述の特許文献１に記載の毛玉取り器は、その形状から、一見して毛玉取り器とわかるものであるが、リビングや応接間等で使用する場合には、テーブルに置いてあっても来客が毛玉取り器であることがわからない意匠性があれば、インテリアとしての価値を持つものである。
【０００６】
そこで、本考案は、生地との付着力が強い毛玉を除去することができると共に、デリケートな生地や、毛足の長い生地に付着した毛玉を除去することができ、さらに意匠性にも優れた毛玉取り器を提供することを目的とする。
【課題を解決するための手段】
【０００７】
上記課題を解決するため、請求項１に記載の考案は、モーターと、該モーターを駆動する電源と、前記モーターによって回転する内刃及びファンと、前記内刃を覆うと共に毛玉を吸引する複数の刃孔を備えた外刃とを有する毛玉取り部と、該毛玉取り部の後方に接続する中空状の取っ手部とを有する毛玉取り器本体と、前記外刃を露出する開口を備えた着脱自在の外ケースとを有する毛玉取り器であって、前記外ケースの開口の周囲に複数の突起を設けたことを特徴としている。外ケースの開口の周囲に複数の突起を設けることによって、複数の突起の頂部と外刃の表面との間に隙間が形成され、この隙間に毛足の長い生地や、デリケートな生地の表面の起毛等の部分を収容することができることから、表面から外方へ突出する毛玉のみを外刃及び内刃によって切断することができる。
【０００８】
また、請求項２に記載の考案は、請求項１に記載の考案において、複数の突起は、毛玉取り器を平面に載置したときに該平面と接触する脚部となることを特徴としている。したがって、毛玉取り器を机やテーブル等の平面に、取っ手部を上方にして載置することができ、開口から露出する外刃を隠すことができるので、卓上のインテリアとして楽しむことができる。
【０００９】
また、請求項３に記載の考案は、請求項１又は２に記載の考案において、着脱自在の外ケースを装着した状態と、取り外した状態の両方で使用可能なことを特徴としている。したがって、外ケースを装着した状態では、毛足の長い生地や、デリケートな生地の表面から突出する毛玉を、生地を傷めることなく切断することができ、外ケースを取り外した状態では、生地との付着力が強い頑固な毛玉を切断することができる。
【００１０】
また、請求項４に記載の考案は、請求項１〜３のいずれか１項に記載の考案において、外ケースを装着した状態の使用時に、複数の突起が接触する平面と外刃の表面との間隔が２ｍｍ以上３ｍｍ以下であることを特徴としている。外ケースを装着した状態の使用時に、複数の突起が接触する平面と外刃の表面との間隔を２ｍｍ以上３ｍｍ以下とすることによって、生地表面の起毛部分を該間隔によって形成される空間に収容することができると共に、表面から外方に突出する毛玉を最適に切断することができる。
【００１１】
また、請求項５に記載の考案は、請求項１〜４のいずれか１項に記載の考案において、毛玉取り部の外形形状を略半球状に形成し、取っ手部の外形形状を略円錐状に形成したことを特徴としている。毛玉取り部の略半球状の曲面と、取っ手部の略円錐状の曲面とが接続されることによって、置物やインテリアとしての価値を高めることができる。
【００１２】
また、請求項６に記載の考案は、請求項５に記載の考案において、取っ手部の略円錐状の曲面に複数の排気孔を形成し、該排気孔から、ファンによって毛玉取り部及び取っ手部の内部に吸い込まれた空気を排気することを特徴としている。したがって、複数の排気孔から空気を排気することができると共に、この複数の排気孔によって置物やインテリアとしての価値を高めることができる。
【考案の効果】
【００１３】
請求項１に記載の考案により、毛足の長い生地や、デリケートな生地の表面の起毛等に付着した毛玉を、生地を傷めることなく、除去することができる。
【００１４】
請求項２に記載の考案により、毛玉取り器の機能を果たしつつ、卓上のインテリアとしても楽しむことができる。
【００１５】
請求項３に記載の考案により、毛足の長い生地や、デリケートな生地の表面から突出する毛玉を、生地を傷めることなく除去することができると共に、生地との付着力が強い頑固な毛玉も除去することができる。
【００１６】
請求項４に記載の考案により、生地表面の起毛部分を収容することができると共に、表面から外方に突出する毛玉を最適に切断することができる。
【００１７】
請求項５及び６に記載の考案により、毛玉取り器の機能を果たしつつ、置物やインテリアとしての価値を高めることができる。
【図面の簡単な説明】
【００１８】
【図１】図１は、本考案に係る毛玉取り器の斜視図である。
【図２】図２は、本考案に係る毛玉取り器の底面図である。
【図３】図３は、本発明に係る毛玉取り器の外ケースを取り外した状態を示す分解図である。
【図４】図４は、本考案に係る毛玉取り器の一部を拡大した説明図である。
【図５】図５は、本発明に係る毛玉取り器の外ケースを取り外した状態の底面図である。
【図６】図６は、本発明に係る毛玉取り器の取っ手部を取り外した状態の分解図である。
【図７】図７は、本発明に係る毛玉取り器の電池フタを取り外した状態の分解図である。
【図８】図８は、本発明に係る毛玉取り器の内刃を示す説明図である。
【図９】図９は、本発明に係る毛玉取り器のファンを示す説明図である。
【考案を実施するための形態】
【００１９】
以下に、図面を用いて本考案の実施形態を説明する。
【００２０】
図１は、本考案に係る毛玉取り器の斜視図である。図２は、本考案に係る毛玉取り器の底面図である。図３は、本発明に係る毛玉取り器の外ケースを取り外した状態を示す分解図である。これらの図に示すように、毛玉取り器１０は、毛玉取り部１と取っ手部２とから構成される毛玉取り器本体３と、外ケース４とから構成されている。
【００２１】
毛玉取り部１は、外形形状が略半球状となっており、モーターと、このモーターを駆動する電源と、内刃と、ファンと、内刃を覆うと共に毛玉を吸引する複数の刃孔５ａを備えた外刃５とを有しており、内刃とファンは、モーターによって回転する構成となっている。この毛玉取り部１の後方には、取っ手部２が接続されており、取っ手部２は、外形が略円錐状であって、内部が中空状となっている。また、取っ手部２の略円錐状の曲面には、複数の排気孔６が形成されている。したがって、ファンの回転によって外刃５の複数の刃孔５ａから吸い込まれた空気は、毛玉取り部１の内部と取っ手部２の内部を通過した後、排気孔６から外部へと排出される。
【００２２】
外ケース４は、外刃５を露出する開口７を有すると共に、この開口７の周囲に複数の突起８を備えている。尚、本考案の実施形態では、突起８を、開口７の中心から均等な距離に３個設けているが、これに限定されるものではなく、さらに複数の突起を設ける構成としてもよい。また、開口７を直径約３０ｍｍの円にて形成し、複数の突起８を球面状に形成すると共に、この球面状の突起８を前記開口７の円に半分入り込むように形成するとよい。また、複数の突起８は、毛玉取り器１０を平面に載置したときに、平面と接触する脚部となるものである。したがって、毛玉取り器１０を机やテーブル等の平面に、取っ手部２を上方にして載置することができ、開口７から露出する外刃５を隠すことができるので、卓上のインテリアとして楽しむことができる。尚、毛玉取り部１に形成されたスイッチボタン２１のＯＮ及びＯＦＦによって、内刃及びファンの回転が制御される構成となっている。
【００２３】
外ケース４は、毛玉取り器本体３に対して着脱自在となっており、外ケース４を毛玉取り器本体３に装着した状態と、取り外した状態の両方で毛玉取り器１０を使用することができる。したがって、外ケース４を装着した状態では、毛足の長い生地や、デリケートな生地の表面から突出する毛玉を、生地を傷めることなく切断することができ、外ケース４を取り外した状態では、生地との付着力が強い頑固な毛玉を切断することができる。尚、外ケース４の外形形状は上述した毛玉取り部１の外形形状に対応した略半球状となっており、開口７から外刃５を露出させた状態で毛玉取り部１の外表面を覆うように装着される。尚、外ケース４の縁部内側Ｂに突起を設け、この突起に対応する毛玉取り部１の所定位置に溝を設けることによって、外ケース４の装着時の係止を強固にすることができる。
【００２４】
図４は、本考案に係る毛玉取り器の一部を拡大した説明図である。この図に示すように、毛玉を有する衣服などの平面に毛玉取り器を載置した時に、上述の複数の突起８の一部が衣服などの生地表面と接触することとなり、外刃５は、衣服などの生地表面とは接触しない。外刃５の表面と衣服などの生地表面との間には、２ｍｍ以上３ｍｍ以下の隙間Ａが形成されるようになっている。上記構成によって、生地表面の起毛部分を隙間Ａに収容することができると共に、生地表面から外方に突出する毛玉を外刃５の刃孔５ａ内に吸引して最適に切断することができる。尚、外刃５の表面と衣服などの生地表面との間隔の最適値は、約２．５ｍｍである。
【００２５】
図５は、本発明に係る毛玉取り器の外ケースを取り外した状態の底面図であり、図６は、本発明に係る毛玉取り器の取っ手部を取り外した状態の分解図である。図５に示すように、外刃５は、略半球状の外形形状の毛玉取り部１の底部に設置されており、複数の刃孔５ａを備えている。この外刃５を内側には内刃とファンとが設置されており、内刃とファンとはモーターによって回転する構成となっている。上記構成により、生地表面に付着している毛玉は、外刃５の刃孔５ａから内部に吸引され、内刃によって、生地表面との間が切断された後、取っ手部２の内部へと排出される。したがって、取っ手部２の中空状の内部は毛玉受けとして機能するものであり、図６に示すように、毛玉取り器本体３から取っ手部２を取り外すことによって、取っ手部２又は毛玉取り部１の上部に溜まった毛玉を取り除くことができる。
【００２６】
図７は、本発明に係る毛玉取り器の電池フタを取り外した状態の分解図である。毛玉取り部１から電池フタ９を取り外すことによって、モーター１８を回転させる電源である電池ケース１１に装着された乾電池１２を交換することができる構成となっている。尚、電池フタ９の内側にはミニブラシが収容されるミニブラシ収容空間１９と、モーター１８の上部が収容されるモーター収容空間２０とが形成されている。尚、ミニブラシは、外刃５等に付着した毛玉を除去するために使用するものである。
【００２７】
図８は、本発明に係る毛玉取り器の内刃を示す説明図である。内刃１３は、前述した外刃５の内側に位置し、モーターの回転によって回転するものであり、後述するファン１５の回転軸１７に固定される回転台１４と、この回転台１４の上面に固定される複数の刃片１３ａとから構成されている。尚、本実施形態では回転台１４に三枚の刃片１３ａが固定されている構成となっているが、これに限定されるものではなく、さらに複数の刃片を回転台１４に固定してもよいものである。
【００２８】
図９は、本発明に係る毛玉取り器のファンを示す説明図である。ファン１５は、６枚の回転羽根１６を有する構成であって、モーターの回転軸に回転可能に固定されている。また、ファン１５の中心から上方へ突出する回転軸１７は、上述した内刃１３の回転台１４の下面の中心に設けられた嵌合孔と嵌合する構成となっている。したがって、モーターの回転軸が回転すると、ファン１５が回転すると共に、内刃１３も回転する構成となっている。尚、ファン１５は、回転することによって風が発生するものであるが、回転羽根１６の回転によって、外刃５の刃孔５ａから毛玉取り部１の内側に吸引する力が発生する構成となっている。
【産業上の利用可能性】
【００２９】
本考案の毛玉取り器は、生地との付着力が強い毛玉を除去することができると共に、デリケートな生地や、毛足の長い生地に付着した毛玉を、生地を傷めることなく除去することができ、さらに意匠性にも優れた毛玉取り器として利用される。
【符号の説明】
【００３０】
１  毛玉取り部
２  取っ手部
３  毛玉取り器本体
４  外ケース
５  外刃
５ａ  刃孔
６  排気孔
７  開口
８  突起
９  電池フタ
１０  毛玉取り器
１１  電池ケース
１２  乾電池
１３  内刃
１３ａ  刃片
１４  回転台
１５  ファン
１６  回転羽根
１７  回転軸
１８  モーター
１９  ミニブラシ収容空間
２０  モーター収容空間
２１  スイッチボタン
Ａ  隙間
Ｂ  縁部内側
【図１】
0003175572.tif 000003
【図２】
0003175572.tif 000004
【図３】
0003175572.tif 000005
【図４】
0003175572.tif 000006
【図５】
0003175572.tif 000007
【図６】
0003175572.tif 000008
【図７】
0003175572.tif 000009
【図８】
0003175572.tif 000010
【図９】
0003175572.tif 000011